(57)【要約】【課題】必要以上に花粉を飛散させることなく確実に受粉するとともに植物を痛めない受粉装置を提供すること。【解決手段】空気を圧縮するコンプレッサー１１０を有して空気放出部１５０から圧縮空気Ａを放出して植物ＰＬに圧縮空気Ａを当てる受粉装置１００において、空気放出部１５０が、圧縮空気Ａを噴射するとともに噴射により自ら回転してらせん状の圧縮空気Ａの波を形成する回転式ノズル１５１を備えていることを特徴とする受粉装置１００。【選択図】図１
2013135634.tif 000002
【特許請求の範囲】
【請求項１】
空気を圧縮するコンプレッサーを有して空気放出部から圧縮空気を放出して植物に圧縮空気を当てる受粉装置において、
前記空気放出部が、前記圧縮空気を噴射するとともに噴射により自ら回転してらせん状の圧縮空気の波を形成する回転式ノズルを備えていることを特徴とする受粉装置。
【請求項２】
前記空気放出部が、前記圧縮空気を外部へ放出する開口部を有しており、
該開口部が、前記圧縮空気の流路を形成する２つの重なる開口穴の一方が回転して該２つの開口穴の重なる範囲が変わることにより回転式ノズルから噴射された圧縮空気が通過する範囲の広狭を調整するロータリーシャッターを有していることを特徴とする請求項１に記載の受粉装置。
【発明の詳細な説明】
【技術分野】
【０００１】
本発明は、空気を圧縮するコンプレッサーを有して空気放出部から圧縮空気を放出して植物に圧縮空気を当てる受粉装置に関する。
【背景技術】
【０００２】
従来、空気を圧縮するファンを有して空気放出部から圧縮空気を放出して植物に圧縮空気を当てる受粉装置が知られている（例えば、特許文献１参照）。
また、加振手段により空気振動を発生させるとともに送風装置を併用して受粉を行う受粉装置が知られている（例えば、特許文献２参照）。
【先行技術文献】
【特許文献】
【０００３】
【特許文献１】特開昭６１−９６９２８号公報（図１、図３参照）
【特許文献２】特開２０１１−１４７３７７号公報（段落００４６、図１参照）
【発明の概要】
【発明が解決しようとする課題】
【０００４】
しかしながら、上述した従来の受粉装置は、圧縮空気を一定の強さの風として発生させてこの風を植物に対して単に強く当てる構造であったため、必要以上に花粉を飛散させるという問題だけでなく、植物を大きく撓ませて折ったりして特におしべおよびめしべを痛めてしまうという問題があった。
【０００５】
そこで、本発明は、前述したような従来技術の問題を解決するものであって、すなわち、本発明の目的は、必要以上に花粉を飛散させることなく確実に受粉するとともに植物を痛めない受粉装置を提供することである。
【課題を解決するための手段】
【０００６】
本請求項１に係る発明は、空気を圧縮するコンプレッサーを有して空気放出部から圧縮空気を放出して植物に圧縮空気を当てる受粉装置において、前記空気放出部が、前記圧縮空気を噴射するとともに噴射により自ら回転してらせん状の圧縮空気の波を形成する回転式ノズルを備えていることにより、前述した課題を解決するものである。
【０００７】
本請求項２に係る発明は、請求項１に記載された受粉装置の構成に加えて、前記空気放出部が、前記圧縮空気を外部へ放出する開口部を有しており、該開口部が、前記圧縮空気の流路を形成する２つの重なる開口穴の一方が回転して該２つの開口穴の重なる範囲が変わることにより回転式ノズルから噴射された圧縮空気が通過する範囲を調整するロータリーシャッターを有していることにより、前述した課題をさらに解決するものである。
【発明の効果】
【０００８】
本請求項１に係る発明の受粉装置は、空気を圧縮するコンプレッサーを有して空気放出部から圧縮空気を放出して植物に圧縮空気を当てる受粉装置において、空気放出部が、圧縮空気を噴射するとともに噴射により自ら回転してらせん状の圧縮空気の波を形成する回転式ノズルを備えていることにより、らせん状の圧縮空気の波中の圧縮空気によって押される時とらせん状の圧縮空気の波間の圧縮されていない空気によって殆ど押されない時とが交互に入れ替わりながら圧縮空気が植物に対して作用するため、適度に植物を揺らすことができるとともに花粉を必要以上に飛散させずに受粉させることができる。
【０００９】
また、らせん状の圧縮空気の波によって植物の例えば花に対して圧縮空気が作用しない時から作用する時へ切り替わる際の圧縮空気の流量の単位時間当たりの変化量が、単に圧縮空気のＯＮ−ＯＦＦを切り換える構成と比べて少なくなるため、植物のおしべおよびめしべ等を痛めることを防止できる。
【００１０】
本請求項２に係る発明の受粉装置は、請求項１に係る受粉装置が奏する効果に加えて、空気放出部が、圧縮空気を外部へ放出する開口部を有しており、この開口部が、圧縮空気の流路を形成する２つの重なる開口穴の一方が回転してこの２つの開口穴の重なる範囲が変わることにより回転式ノズルから噴射された圧縮空気が通過する範囲の広狭を調整するロータリーシャッターを有していることにより、開口部の開いている範囲が変化するため、植物に対して圧縮空気が当たる範囲を調整して例えば花に圧縮空気が当たりこれ以外の枝葉等に圧縮空気が当たらないようにして枝葉等を痛めることをより確実に防止できる。
つまり、ピンポイントで圧縮空気をおしべおよびめしべに当てるため、それ以外の枝葉等を痛めることをより確実に防止できる。
【図面の簡単な説明】
【００１１】
【図１】本発明の第１実施例の受粉装置の概略を示す概略図。
【図２】本発明の第１実施例の受粉装置の空気放出部を示す斜視図。
【図３】本発明の第１実施例の受粉装置の回転式ノズルを示す側断面図および正面図。
【図４】回転式ノズルによる受粉の様子と送風ファンによる受粉の様子との比較図。
【図５】本発明の第２実施例の受粉装置の回転式ノズルの一部分解斜視図。
【図６】本発明の第２実施例の受粉装置の回転式ノズルの側断面図。
【発明を実施するための形態】
【００１２】
本発明の受粉装置は、空気を圧縮するコンプレッサーを有して空気放出部から圧縮空気を放出して植物に圧縮空気を当てる受粉装置において、空気放出部が、圧縮空気を噴射するとともに噴射により自ら回転してらせん状の圧縮空気の波を形成する回転式ノズルを備えていることによって、らせん状の圧縮空気の波の圧縮空気によって押される時とらせん状の圧縮空気の波間の圧縮されていない空気によって殆ど押されない時とが交互に入れ替わりながら圧縮空気が植物に対して作用するものであれば、その具体的な実施態様は、如何なるものであっても構わない。
【００１３】
例えば、回転式ノズルの構造は、噴射により自ら回転してらせん状の圧縮空気の波を形成するものであれば如何なるものであっても構わない。
【実施例１】
【００１４】
以下に、本発明の第１実施例である受粉装置１００について、図１乃至図４に基づいて説明する。
ここで、図１は、本発明の第１実施例の受粉装置１００の概略を示す概略図であり、図２（Ａ）は、本発明の第１実施例の受粉装置１００の空気放出部１５０の開口部１５２の開口範囲が広がっているときを示す斜視図であり、図２（Ｂ）は、本発明の第１実施例の受粉装置１００の空気放出部１５０の開口部１５２の開口範囲が狭まっているときを示す斜視図であり、図３（Ａ）は、本発明の第１実施例の受粉装置１００の回転式ノズル１５１を示す図３（Ｂ）のＸ−Ｘ’断面の側断面図であり、図３（Ｂ）は、本発明の第１実施例の受粉装置１００の回転式ノズル１５１を示す正面図であり、図４は、回転式ノズル１５１による受粉の様子と送風ファン５１０による受粉の様子との比較図である。
このうち、図４（Ａ）および図４（Ｂ）は、本発明の第１実施例の受粉装置１００の回転式ノズル１５１による受粉の様子であり、図４（Ｃ）は、一般的な送風ファン５１０による受粉の様子である。
【００１５】
本発明の第１実施例である受粉装置１００は、図１乃至図４に示すように、空気を圧縮するコンプレッサー１１０を有して空気放出部１５０から圧縮空気Ａを放出して植物ＰＬの特におしべＳとめしべＰとを有する花Ｆに圧縮空気Ａを当てるように構成されている。
より具体的には、受粉装置１００は、空気を圧縮するコンプレッサー１１０と、このコンプレッサー１１０を駆動するためのバッテリー１４０と、コンプレッサー１１０により圧縮された圧縮空気Ａを貯蔵するエアータンク１２０と、エアータンク１２０に貯蔵された圧縮空気Ａを外部へ放出する空気放出部１５０と、コンプレッサー１１０から空気放出部１５０までエアータンク１２０を介して圧縮空気Ａを送るエアー配管１３０とを備えている。
【００１６】
さらに、空気放出部１５０が、圧縮空気Ａを噴射するとともに噴射により自ら回転してらせん状の圧縮空気Ａの波を形成する回転式ノズル１５１を備えている。
これにより、らせん状の圧縮空気Ａの波中の圧縮空気Ａによって押される時とらせん状の圧縮空気Ａの波間の圧縮されていない空気によって殆ど押されない時とが交互に入れ替わりながら圧縮空気Ａが植物ＰＬに対して作用する。
さらに、らせん状の圧縮空気Ａの波によって植物ＰＬの花Ｆに対して圧縮空気Ａが作用しない時から作用する時へ切り替わる際の圧縮空気Ａの流量の単位時間当たりの変化量が、単に圧縮空気ＡのＯＮ−ＯＦＦを切り換える構成と比べて少なくなる。
【００１７】
また、空気放出部１５０が、圧縮空気Ａを外部へ放出する開口部１５２を有しており、この開口部１５２が、圧縮空気Ａの流路を形成する２つの重なる開口穴１５３Ａ、１５３Ｂの一方が回転してこの２つの開口穴１５３Ａ、１５３Ｂの重なる範囲が変わることにより回転式ノズル１５１から噴射された圧縮空気Ａが通過する範囲の広狭を調整するロータリーシャッター１５３を有している。
これにより、開口部１５２の開いている範囲が変化する。
【００１８】
続いて、空気放出部１５０の回転式ノズル１５１およびロータリーシャッター１５３について詳しく説明する。
図３（Ａ）および図３（Ｂ）に示すように、回転式ノズル１５１は、基端側がエアー配管１３０と接続された弾性チューブ１５１Ａと、この弾性チューブ１５１Ａの自由端に設けられた回転力伝達部材１５１Ｂと、弾性チューブ１５１Ａの自由端側を覆う筒状ガイド部１５１Ｃと、この筒状ガイド部１５１Ｃを覆うガイドカバー部１５１Ｄと、ガイドカバー部１５１Ｄに対して筒状ガイド部１５１Ｃを回動可能に支持するベアリング１５１Ｅとを有している。
【００１９】
そして、弾性チューブ１５１Ａの基端から圧縮空気Ａを供給すると、軟質の弾性チューブ１５１Ａの自由端の噴射口から加圧された空気が噴射されることにより生じる反動を受けた弾性チューブ１５１Ａが撓みながら噴射方向を変更することによってさらに撓み方向が変化して噴射方向が変化するため、弾性チューブ１５１Ａの自由端側がチューブ自体の弾性による首振り運動を行う。
【００２０】
弾性チューブ１５１Ａの自由端側が首振り運動をする際、弾性チューブ１５１Ａの自由端側は、筒状ガイド部１５１Ｃの内壁に沿って回転運動を行うことで、弾性チューブ１５１Ａの自由端から噴射された圧縮空気Ａが略円形の噴射パターン、すなわち、らせん状の圧縮空気Ａの波を形成する。
【００２１】
また、弾性チューブ１５１Ａの自由端に回転力伝達部材１５１Ｂが設けられていることにより、回転力伝達部材１５１Ｂと筒状ガイド部１５１Ｃとの間の摩擦力が生じて、弾性チューブ１５１Ａの回転力が筒状ガイド部１５１Ｃへ伝達される。
これにより、弾性チューブ１５１Ａの自由端側と筒状ガイド部１５１Ｃとがガイドカバー部１５１Ｄに対して同じ方向へ回転して、弾性チューブ１５１Ａと筒状ガイド部１５１Ｃとの間で摺動動作による摩擦の発生がないため、弾性チューブ１５１Ａの自由端側が摩耗することを防止して耐久性を向上させることができる。
【００２２】
また、弾性チューブ１５１Ａの自由端より圧縮空気Ａの流路下流側の開口部１５２には、ロータリーシャッター１５３が設けられている。
このロータリーシャッター１５３は、一例として扇形の開口穴１５３Ａ、１５３Ｂをそれぞれ有する二枚の板状部からなり、一方が他方に対して一の方向へ回転することにより、それぞれの扇形の開口穴１５３Ａ、１５３Ｂの重なる範囲が広くなり、逆の方向へ回転することにより、それぞれの扇形の開口穴１５３Ａ、１５３Ｂの重なる範囲が狭くなる。
なお、ロータリーシャッター１５３の二枚の板状部の互いの係合の仕方は、それぞれの扇形の開口穴１５３Ａ、１５３Ｂの重なる範囲の大きさが変化する構成であれば、どのような係合の仕方でもよい。
【００２３】
続いて、本発明の第１実施例の受粉装置１００の回転式ノズル１５１による効果について説明する。
図４（Ａ）および図４（Ｂ）に示すように、本発明の第１実施例の受粉装置１００の空気放出部１５０が、圧縮空気Ａを噴射するとともに噴射により自ら回転してらせん状の圧縮空気Ａの波を形成する回転式ノズル１５１を備えている。
これにより、上述したように、らせん状の圧縮空気Ａの波中の圧縮空気Ａによって押される時とらせん状の圧縮空気Ａの波間の圧縮されていない空気によって殆ど押されない時とが交互に入れ替わりながら圧縮空気Ａが植物ＰＬに対して作用する。
【００２４】
つまり、図４（Ｃ）に示すように、一般的な送風ファン５１０を用いた受粉装置５００による受粉の場合、圧縮空気Ａが花ＦのおしべＳおよびめしべＰに絶え間なく強く当たるため、花Ｆ（植物ＰＬ）を大きく撓ませて折ったり吹き飛ばしたりして痛める虞があるが、本発明では、図４（Ａ）および図４（Ｂ）に示すように、圧縮空気Ａが例えば花ＦのおしべＳおよびめしべＰに当たる時と当たらない時とが交互に入れ替わるため、おしべＳおよびめしべＰが適度に揺れて受粉する。
【００２５】
より詳しく説明すると、本発明では、図４（Ａ）に示すように、圧縮空気Ａが花ＦのおしべＳおよびめしべＰに当たることにより、おしべＳおよびめしべＰが適度に押され、図４（Ｂ）に示すように、圧縮空気Ａが花ＦのおしべＳおよびめしべＰに当たらないことにより、おしべＳおよびめしべＰが元に戻る。
そして、圧縮空気Ａが花ＦのおしべＳおよびめしべＰに当たる時と当たらない時とが交互に入れ替わることで、花Ｆ（植物ＰＬ）を大きく撓ませて折ったり吹き飛ばしたりして痛めることなく、花ＦのおしべＳおよびめしべＰを軽くはたくようにして花ＦのおしべＳおよびめしべＰを揺らして確実に受粉させる。
【００２６】
さらに、らせん状の圧縮空気Ａの波によって植物ＰＬの花Ｆに対して圧縮空気Ａが作用しない時から作用する時へ切り替わる際の圧縮空気Ａの流量の変化量が、単に圧縮空気ＡのＯＮ−ＯＦＦを切り換える構成と比べて少なくなるため、植物ＰＬのおしべＳおよびめしべＰ等を痛めることを防止できる。
【００２７】
なお、一例として圧縮空気Ａを花ＦのおしべＳおよびめしべＰに当てて受粉することについて説明したが、圧縮空気Ａが当たる箇所は、おしべＳおよびめしべＰが軽く揺れればおしべＳおよびめしべＰ以外の箇所でもよい。
圧縮空気Ａを花ＦのおしべＳおよびめしべＰに当てて受粉することについて説明したのは、おしべＳおよびめしべＰを適度に揺らすことに加えて、圧縮空気Ａの流れによっても受粉してより効果的だからである。
【００２８】
このようにして得られた第１実施例である受粉装置１００は、空気を圧縮するコンプレッサー１１０を有して空気放出部１５０から圧縮空気Ａを放出して植物ＰＬに圧縮空気Ａを当てる受粉装置１００において、空気放出部１５０が、圧縮空気Ａを噴射するとともに噴射により自ら回転してらせん状の圧縮空気Ａの波を形成する回転式ノズル１５１を備えていることにより、適度に植物ＰＬを揺らすことができるとともに花粉を必要以上に飛散させずに受粉させることができるとともに、植物ＰＬのおしべＳおよびめしべＰ等を痛めることを防止できる。
【００２９】
さらに、空気放出部１５０が、圧縮空気Ａを外部へ放出する開口部１５２を有しており、この開口部１５２が、圧縮空気Ａの流路を形成する２つの重なる開口穴１５３Ａ、１５３Ｂの一方が回転してこの２つの開口穴１５３Ａ、１５３Ｂの重なる範囲が変わることにより回転式ノズル１５１から噴射された圧縮空気Ａが通過する範囲の広狭を調整するロータリーシャッター１５３を有していることにより、植物ＰＬに対して圧縮空気Ａが当たる範囲を調整して例えば花Ｆに圧縮空気Ａが当たりこれ以外の枝葉等に圧縮空気Ａが当たらないようにして枝葉等を痛めることをより確実に防止できるなど、その効果は甚大である。
【実施例２】
【００３０】
続いて、本発明の第２実施例である受粉装置２００の回転式ノズル２５１について、図５および図６に基づいて説明する。
ここで、図５は、本発明の第２実施例の受粉装置２００の回転式ノズル２５１の一部分解斜視図であり、図６は、本発明の第２実施例の受粉装置２００の回転式ノズル２５１の側断面図である。
このうち、図６（Ａ）は、弾性チューブ２５１Ｅの内圧が低いときであり、図６（Ｂ）は、図６（Ａ）のときより弾性チューブ２５１Ｅの内圧が高いときである。
【００３１】
第２実施例の受粉装置２００は、第１実施例の受粉装置１００の回転式ノズル１５１の構造を別の構造としたものであり、多くの要素について第１実施例の受粉装置１００と共通するので、共通する事項については詳しい説明を省略し、下２桁が共通する２００番台の符号を付すのみとする。
なお、図示しない第２実施例のコンプレッサーは、第１実施例のコンプレッサー１１０と同じであるので、同じ符号を用いることとする。
【００３２】
図５、図６（Ａ）および図６（Ｂ）に示すように、本発明の第２実施例である受粉装置２００は、空気を圧縮するコンプレッサー１１０を有して空気放出部２５０の開口部２５２から圧縮空気Ａを放出して植物ＰＬに圧縮空気Ａを当てる受粉装置２００において、空気放出部２５０が、圧縮空気Ａを噴射するとともに噴射により自ら回転してらせん状の圧縮空気Ａの波を形成する回転式ノズル２５１を備えている。
【００３３】
これにより、第１実施例と同様、らせん状の圧縮空気Ａの波中の圧縮空気Ａによって押される時とらせん状の圧縮空気Ａの波間の圧縮されていない空気によって殆ど押されない時とが交互に入れ替わりながら圧縮空気Ａが植物ＰＬに対して作用する。
さらに、らせん状の圧縮空気Ａの波によって植物ＰＬの花Ｆに対して圧縮空気Ａが作用しない時から作用する時へ切り替わる際の圧縮空気Ａの流量の単位時間当たりの変化量が、単に圧縮空気ＡのＯＮ−ＯＦＦを切り換える構成と比べて少なくなる。
【００３４】
具体的に、回転式ノズル２５１は、エアー配管２３０と接続される支持部２５１Ａと、この支持部２５１Ａに取り付けられる軸受け部２５１Ｂと、この軸受け部２５１Ｂにより支持部２５１Ａに係止されるベアリング２５１Ｃと、このベアリング２５１Ｃの内側に取り付けられ支持部２５１Ａに対して回転可能な回転中空シャフト２５１Ｄと、この回転中空シャフト２５１Ｄと基端が接続される弾性チューブ２５１Ｅと、回転中空シャフト２５１Ｄの先端に取り付けられる回転円盤２５１Ｆと、この回転円盤２５１Ｆの一部を切り欠いて形成されたフラップ２５１Ｇと、このフラップ２５１Ｇに対して弾性チューブ２５１Ｅの先端を固定するストラップ２５１Ｈと、回転円盤２５１Ｆの切り欠いた箇所に形成されるとともに弾性チューブ２５１Ｅの先端が挿通する穴２５１Ｊと、支持部２５１Ａに取り付けられて回転中空シャフト２５１Ｄおよび回転円盤２５１Ｆを覆う安全カバー部２５１Ｋとを有している。
【００３５】
そして、エアー配管２３０から圧縮空気Ａが回転式ノズル２５１に送られると、さらに支持部２５１Ａの内部から回転中空シャフト２５１Ｄの内部を介して弾性チューブ２５１Ｅへ送られ、弾性チューブ２５１Ｅの先端から圧縮空気Ａが噴射される。
【００３６】
また、弾性チューブ２５１Ｅの先端がフラップ２５１Ｇによって回転円盤２５１Ｆに対して傾いており、弾性チューブ２５１Ｅの先端から圧縮空気Ａが噴射されると回転方向への推進力が生じるため、回転中空シャフト２５１Ｄ、弾性チューブ２５１Ｅおよび回転円盤２５１Ｆが一体となって、支持部２５１Ａおよび安全カバー部２５１Ｋに対して回転するように構成されている。
これにより、回転式ノズル２５１は、圧縮空気Ａを噴射するとともに噴射により自ら回転してらせん状の圧縮空気Ａの波を形成することができる。
【００３７】
ここで、フラップ２５１Ｇは弾性変形可能であり、弾性チューブ２５１Ｅの引き回し方により、弾性チューブ２５１Ｅの内圧が低いときは、弾性チューブ２５１Ｅの先端がフラップ２５１Ｇによって回転円盤２５１Ｆに対してθ１だけ傾き、弾性チューブ２５１Ｅの内圧が高くなると、弾性チューブ２５１Ｅが真っ直ぐになろうとする力が大きくなる。
したがって、弾性チューブ２５１Ｅがフラップ２５１Ｇを弾性変形させて図６（Ａ）の実線で示す姿勢から図６（Ｂ）の実線で示す姿勢に変わる。
【００３８】
言い換えると、弾性チューブ２５１Ｅの先端がフラップ２５１Ｇによって回転円盤２５１Ｆに対してθ１だけ傾いた状態からθ１より大きいθ２傾いた状態となる。
これにより、弾性チューブ２５１Ｅの内圧が高くなった場合であっても、弾性チューブ２５１Ｅの先端から圧縮空気Ａが噴射されることにより生じる回転方向への推進力の大きさの増加分（変化量）を小さくすることができる。
【００３９】
他方、弾性チューブ２５１Ｅの先端がフラップ２５１Ｇによって回転円盤２５１Ｆに対してθ２だけ傾いた状態から弾性チューブ２５１Ｅの内圧が低くなると、弾性チューブ２５１Ｅが真っ直ぐになろうとする力が小さくなる。
そして、弾性変形していたフラップ２５１Ｇの戻ろうとする力が弾性チューブ２５１Ｅの真っ直ぐになろうとする力に打ち勝って、弾性チューブ２５１Ｅが図６（Ｂ）の実線で示す姿勢から図６（Ａ）の実線で示す姿勢に変わる。
【００４０】
言い換えると、弾性チューブ２５１Ｅの先端がフラップ２５１Ｇによって回転円盤２５１Ｆに対してθ２傾いた状態からθ１傾いた状態となる。
これにより、弾性チューブ２５１Ｅの内圧が低くなった場合であっても、弾性チューブ２５１Ｅの先端から圧縮空気Ａが噴射されることにより生じる回転方向への推進力の大きさの減少分（変化量）を小さくすることができる。
つまり、弾性チューブ２５１Ｅの内圧が変化した場合であっても、回転式ノズル２５１の回転数の変化量を小さくして回転数を安定させることができる。
【００４１】
このようにして得られた第２実施例である受粉装置２００は、空気を圧縮するコンプレッサー１１０を有して空気放出部２５０から圧縮空気Ａを放出して植物ＰＬに圧縮空気Ａを当てる受粉装置２００において、空気放出部２５０が、圧縮空気Ａを噴射するとともに噴射により自ら回転してらせん状の圧縮空気Ａの波を形成する回転式ノズル２５１を備えていることにより、適度に植物ＰＬを揺らすことができるとともに花粉を必要以上に飛散させずに受粉させることができるとともに、植物ＰＬのおしべＳおよびめしべＰ等を痛めることを防止できるなど、その効果は甚大である。
【符号の説明】
【００４２】
１００、  ２００    ・・・  受粉装置
１１０              ・・・  コンプレッサー
１２０              ・・・  エアータンク
１３０、  ２３０    ・・・  エアー配管
１４０              ・・・  バッテリー
１５０、  ２５０    ・・・  空気放出部
１５１、  ２５１    ・・・  回転式ノズル
１５１Ａ            ・・・  弾性チューブ
１５１Ｂ            ・・・  回転力伝達部材
１５１Ｃ            ・・・  筒状ガイド部
１５１Ｄ            ・・・  ガイドカバー部
１５１Ｅ            ・・・  ベアリング
２５１Ａ  ・・・  支持部
２５１Ｂ  ・・・  軸受け部
２５１Ｃ  ・・・  ベアリング
２５１Ｄ  ・・・  回転中空シャフト
２５１Ｅ  ・・・  弾性チューブ
２５１Ｆ  ・・・  回転円盤
２５１Ｇ  ・・・  フラップ
２５１Ｈ  ・・・  ストラップ
２５１Ｊ  ・・・  穴
２５１Ｋ  ・・・  安全カバー部
１５２、  ２５２    ・・・  開口部
１５３              ・・・  ロータリーシャッター
１５３Ａ            ・・・  開口穴
１５３Ｂ            ・・・  開口穴
５００              ・・・  受粉装置
５１０              ・・・  送風ファン
Ａ                  ・・・  圧縮空気
Ｆ                  ・・・  花
Ｐ                  ・・・  めしべ
ＰＬ                ・・・  植物
Ｓ                  ・・・  おしべ
【図１】
2013135634.tif 000003
【図２】
2013135634.tif 000004
【図３】
2013135634.tif 000005
【図４】
2013135634.tif 000006
【図５】
2013135634.tif 000007
【図６】
2013135634.tif 000008